(57)【要約】本発明は、屋上緑化の際に用いられるシートに係り、所定の面積を有するガラス繊維の両側面に所定の厚さの銅板やアルミニウム薄板または不織布などを接着剤によって強固に貼り付けてなるシートを形成することにより、植え付けられた植物の根が活着することを防ぐことはもとより、湿気遮断と熱伝導率の減少および断熱効果を極大化させてシートと防水層および構造物の寿命を延ばすことのできる屋上緑化用シートを提供する。
2013502921.tif 000002
【特許請求の範囲】
【請求項１】
屋上緑化に際して植物の根が活着することを防ぐために防水層の上部に設けられる屋上緑化用シートにおいて、
所定の厚さおよび面積を有するガラス繊維（１０）の両側面に接着剤を塗布した後、前記ガラス繊維（１０）の両側面にそれぞれ同じ面積を有する銅板（２０）を加圧方式によって一体的に貼り付けてなることを特徴とする屋上緑化用シート。
【請求項２】
屋上緑化に際して植物の根が活着することを防ぐために防水層の上部に設けられる屋上緑化用シートにおいて、
前記ガラス繊維（１０）の一方の面には同じ面積の銅板（２０）を貼り付け、他方の面には同じ面積のアルミニウム薄板（３０）を加圧方式によって一体的に貼り付けてなることを特徴とする請求項１に記載の屋上緑化用シート。
【請求項３】
屋上緑化に際して植物の根が活着することを防ぐために防水層の上部に設けられる屋上緑化用シートにおいて、
前記ガラス繊維（１０）の一方の面には同じ面積の銅板（２０）を貼り付け、他方の面には同じ面積の不織布（４０）を加圧方式によって一体的に貼り付けてなることを特徴とする請求項１に記載の屋上緑化用シート。
【請求項４】
屋上緑化に際して植物の根が活着することを防ぐために防水層の上部に設けられる屋上緑化用シートにおいて、
前記ガラス繊維（１０）の両側面にそれぞれ接着剤を塗布した後に、同じ面積を有するアルミニウム薄板（３０）を加圧方式によって前記ガラス繊維（１０）の両側面にそれぞれ強固に貼り付けてなることを特徴とする請求項１に記載の屋上緑化用シート。
【請求項５】
屋上緑化に際して植物の根が活着することを防ぐために防水層の上部に設けられる屋上緑化用シートにおいて、
前記銅板（２０）の両側面にそれぞれ接着剤を塗布した後に同じ面積を有する不織布（４０）とＰＶＣシート（５０）を加圧方式によって強固に貼り付けてなることを特徴とする請求項１または請求項２に記載の屋上緑化用シート。
【請求項６】
屋上緑化に際して植物の根が活着することを防ぐために防水層の上部に設けられる屋上緑化用シートにおいて、
前記ＰＶＣシート（５０）の両側面にそれぞれ接着剤を塗布した後に同じ面積を有する銅板（２０）と不織布（４０）を加圧方式によって貼り付けてなることを特徴とする請求項５に記載の屋上緑化用シート。
【発明の詳細な説明】
【技術分野】
【０００１】
本発明は、建物の屋上の緑化を行うときに植物の根が活着することを防ぎ、しかも、防水機能を同時に行うように設けられるシートに係り、さらに詳しくは、ガラス繊維の両側に薄肉の銅板やアルミニウム薄板または不織布などを接着剤によって強固に貼り付けて屋上緑化に際して湿気除去および断熱効果を極大化させることのできる屋上緑化用シートに関する。
【背景技術】
【０００２】
周知のごとく、屋上緑化とは、都心の緑地環境を確保して公害の発生を極力抑え、しかも、都心の見栄えをよくするために屋上に多数の植物を植え付けて育てることを言うが、このような屋上緑化を安定的に行うためには、屋上緑化部（植物が植え付けられる部分）が適用される構造物に「安全な基盤」を構築して構造的な安定性および耐久性に影響を及ぼさないように設計して施工する必要がある。
【０００３】
このような安全な基盤の構築とは、構造物屋上の上部に最も基本的に施工する防水層と屋上緑化部（植物、水、土壌、肥料など）から防水層を保護するための防根材の形成であるといえるが、前記防根材を設ける根本的な理由は、構造物の上部への植え付け時に発生する植物根の活着であり、植物根の成長力は極めて旺盛であるため防水材を突き破り、さらには、構造物、すなわち、コンクリート面まで突き破ってしまう場合が発生し、これは、構造物の寿命を短縮させる原因となっていた。
【０００４】
これを解消するために、近年には、屋上緑化の施工前に防根層を形成する方法が開発されて用いられているが、その一例として、排水板の上部に不織布を敷いて根が直接防水層に当たることを防ぐ防根施工方法がある。しかしながら、前記不織布としては、通常のポリエステル製不織布、あるいは、性能を改善して製作したポリマー不織布を用い、該不織布を排水板の上に載せて、排水板の貯水空間に根が入り込んで排水機能を低下させず、根の活着を一次的に遮断する機能のみを行うので、植え付けられる樹木や植物の根は、その特性から、微細な隙間に水路が形成されれば、必ずその隙間に掘り込むといった性質があり、不織布の組織からみて、根が浸透し易い形状となっているため、優れた防根効果を収めることが極めて困難であるという問題点が発生していた。
【０００５】
一方、植物根の浸透から防水層を保護するために、防水層の上部に化学的・物理的に安定した物性を有するＰＥフィルムを貼り付けて防根層を形成して植物根の活着力が防水層に及ばないように遮断するが、前記ＰＥフィルムは、継ぎ目部を接着剤若しくは接着テープによって施工するため、接合安定性が弱くて水路を形成する主たる脆弱部位となり、これは、根を活着させる働きをするため、防根効果の低下要因となり、その実効性に問題が提起されていた。
【発明の概要】
【発明が解決しようとする課題】
【０００６】
そこで、本発明は、上記の如き問題点を解消するためになされたものであり、その目的は、所定の面積を有するガラス繊維の両側面に所定の厚さの銅板やアルミニウム薄板または不織布などを接着剤によって強固に貼り付けたシートを形成することにより、植え付けられた植物の根が活着することを防ぐことはもちろん、湿気遮断と熱伝導率の減少および断熱効果を極大化させてシートと防水層および構造物の寿命を延ばすことのできる屋上緑化用シートを提供するところにある。
【課題を解決するための手段】
【０００７】
上記の目的を達成するために、本発明は、屋上緑化に際して植物の根が活着することを防ぐために防水層の上部に設けられる屋上緑化用シートにおいて、所定の厚さおよび面積を有するガラス繊維の両側面に接着剤を塗布した後、前記ガラス繊維の両側面にそれぞれ同じ面積を有する銅板を加圧方式によって一体的に貼り付けてなることを特徴とする。
【０００８】
また、本発明は、前記ガラス繊維の一方の面には同じ面積の銅板を貼り付け、他方の面には同じ面積のアルミニウム薄板を加圧方式によって一体的に貼り付けてなることを特徴とする。
【０００９】
さらに、本発明は、前記ガラス繊維の一方の面には同じ面積の銅板を貼り付け、他方の面には同じ面積の不織布を加圧方式によって一体的に貼り付けてなることを特徴とする。
【発明の効果】
【００１０】
本発明は、銅板やアルミニウム薄板または不織布を二重構造に強固に貼り付けてなる屋上緑化用シートを提供することにより、屋上の緑化に際して植物の活着を予防し、湿気を除去し、熱伝導率を最小化させて断熱効果を向上させて前記シートおよび構造物の寿命を延ばし、経済性および施工性を向上させて施工期間を短縮させる他、メンテナンス費用を節減する極めて有用な発明である。
【図面の簡単な説明】
【００１１】
【図１】本発明に係る第１の実施形態の概略的な分解斜視図である。
【図２】本発明に係る第１の実施形態を示す拡大断面図である。
【図３】本発明に係る第２の実施形態を示す拡大断面図である。
【図４】本発明に係る第３の実施形態を示す拡大断面図である。
【図５】本発明に係る第４の実施形態を示す拡大断面図である。
【図６】本発明に係る第５の実施形態を示す拡大断面図である。
【図７】本発明に係る第６の実施形態を示す拡大断面図である。
【発明を実施するための形態】
【００１２】
本発明は、屋上緑化に際して植物の根が活着することを防ぐために防水層の上部に設けられる屋上緑化用シートにおいて、所定の厚さおよび面積を有するガラス繊維の両側面に接着剤を塗布した後、前記ガラス繊維の両側面にそれぞれ同じ面積を有する銅板を加圧方式によって一体的に貼り付けてなることを特徴とする。
【００１３】
以下、添付図面に基づき、本発明に係る屋上緑化用シートを詳述する。
【００１４】
図１は、本発明に係る第１の実施形態の概略的な分解斜視図である。図２は、本発明に係る第１の実施形態を示す拡大断面図である。図３は、本発明に係る第２の実施形態を示す拡大断面図である。図４は、本発明に係る第３の実施形態を示す拡大断面図である。図５は、本発明に係る第４の実施形態を示す拡大断面図である。図６は、本発明に係る第５の実施形態を示す拡大断面図である。図７は、本発明に係る第６の実施形態を示す拡大断面図である。
【００１５】
同図に示すように、本発明に係る屋上緑化用シート１００は、大きく、ガラス繊維１０と、銅板２０と、アルミニウム薄板３０と、不織布４０およびＰＶＣシート５０から構成される。
【００１６】
前記ガラス繊維１０は、高温に耐え、化学的な耐久性があるため腐食されず、引っ張り強度が極めて高く、断熱性に優れており、熱伝導率が極めて低いといった性質を有し、しかも、前記シート１００の中央部に位置して芯材の役割を果たすように所定の面積および厚さを有する。
【００１７】
前記銅板２０は、主成分となる銅を薄く圧延して得られるものであり、銅の化学的な成分が根の生長点を抑制して垂直に活着する小根がそれ以上生長することを防いで植物の生長点を抑制することにより防根性能が確保されると共に、植物の成長に対する安定性が図れるように所定の面積および厚さを有する。
【００１８】
前記アルミニウム薄板３０は、工業用のアルミニウムを薄く圧延して得られるものであり、保温および断熱効果に優れていることから、熱を遮断する目的で建築物の天井や壁などに入れたり、光熱の反射用として板に貼り付けて使用したりして、構造物の外部に排出される熱が遮断できるように所定の面積および厚さを有する。
【００１９】
前記不織布４０は、繊維を織布にする工程を経ることなく、平行または不定方向に配列し、合成樹脂接着剤により貼り合わせてフェルト状にしたものであり、ポリプロピレン（ＰＰ）またはポリエチレン樹脂（ＰＥ）から形成されて所定の面積および厚さを有する。
【００２０】
前記ＰＶＣシート５０は、塩化ビニル樹脂とも呼ばれ、塩化ビニルの単独重合体および塩化ビニルを５０％以上含有する混成重合体であり、前記銅板２０を保護すると共に、水分を遮断する防水機能を行って防根および防水が行える多用途の目的を満たすために所定の面積および厚さを有する。
【００２１】
これらの多数の素材を用いてシート１００を形成する方法は、図１および図２に示すように、まず、所定の厚さおよび面積を有するガラス繊維１０の両側面にそれぞれ接着剤を塗布した後、同じ面積を有する銅板２０を加圧方式によって前記ガラス繊維１０の両側面にそれぞれ強固に貼り付けて三重構造の屋上緑化用シート１００を形成して、外部より加えられる強い衝撃にも破損しないようにして防根機能が円滑に行えるようにすればよい。
【００２２】
また、図３に示すように、所定の厚さおよび面積を有するガラス繊維１０の両側面にそれぞれ接着剤を塗布した後、同じ面積を有する銅板２０を加圧方式によって前記ガラス繊維１０の一方の面に貼り付けるとともに、前記ガラス繊維１０の他方の面には同じ面積を有するアルミニウム薄板３０を一体的に貼り付けてシート１００を形成して、防根機能はもちろん、熱伝導率を下げ、かつ、断熱効果を向上させてもよい。
【００２３】
さらに、図４に示すように、所定の厚さおよび面積を有するガラス繊維１０の両側面にそれぞれ接着剤を塗布した後、同じ面積を有する銅板２０を加圧方式によって前記ガラス繊維１０の一方の面に貼り付けると共に、前記ガラス繊維１０の他方の面には同じ面積を有する不織布４０を一体的に貼り付けてシート１００を形成して、防根機能および水分除去の機能を行わせてもよい。
【００２４】
さらにまた、図５に示すように、所定の厚さおよび面積を有するガラス繊維１０の両側面にそれぞれ接着剤を塗布した後、同じ面積を有するアルミニウム薄板３０を加圧方式によって前記ガラス繊維１０の両側面にそれぞれ強固に貼り付けて断熱性能に優れたシート１００を形成してもよい。
【００２５】
さらにまた、図６に示すように、所定の厚さおよび面積を有する銅板２０の両側面にそれぞれ接着剤を塗布した後、同じ面積を有する不織布４０を加圧方式によって前記銅板２０の一方の面に貼り付けると共に、前記銅板２０の他方の面には同じ面積を有するＰＶＣシート５０を一体的に貼り付けてシート１００を形成して、防根機能および水分除去の機能を行ってもよい。
【００２６】
さらにまた、図７に示すように、所定の厚さおよび面積を有する前記ＰＶＣシート５０の両側面にそれぞれ接着剤を塗布した後、同じ面積を有する銅板２０を加圧方式によって前記ＰＶＣシート５０の一方の面に貼り付けると共に、他方の面には同じ面積を有する不織布４０を一体的に貼り付けてシート１００を形成して、防根機能および水分除去の機能を行わせればよい。
【００２７】
このようにして得られるシート１００を用いた屋上緑化の施工は、まず、屋上の防水層の上部に粘着性に優れた防水剤を所定の厚さにて塗布した後、所定の面積を有するように裁断される多数枚のシート１００を強固に貼り合わせるが、連続して貼り合わせられるシート同士の継ぎ目部は銅テープを用いて貼り合わせた後、その上部に土壌層を形成し、前記土壌層に樹木や花草などの様々な植物を植え付けて屋上の緑化を行えばよい。
【産業上の利用可能性】
【００２８】
本発明は、銅板やアルミニウム薄板または不織布を二重構造に強固に貼り付けてなる屋上緑化用シートを提供することにより、屋上の緑化に際して植物の活着を予防し、湿気を除去し、熱伝導率を最小化させて断熱効果を向上させて前記シートおよび構造物の寿命を延ばし、経済性および施工性を向上させて施工期間を短縮させる他、メンテナンス費用を節減する産業上の利用可能性が極めて高い発明である。
【符号の説明】
【００２９】
１０    ガラス繊維
２０    銅板
３０    アルミニウム薄板
４０    不織布
５０    ＰＶＣシート
１００  シート
【図１】
2013502921.tif 000003
【図２】
2013502921.tif 000004
【図３】
2013502921.tif 000005
【図４】
2013502921.tif 000006
【図５】
2013502921.tif 000007
【図６】
2013502921.tif 000008
【図７】
2013502921.tif 000009
【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
屋上緑化に際して植物の根が活着することを防ぐために防水層の上部に設けられる屋上緑化用シートにおいて、
所定の厚さおよび面積を有するガラス繊維（１０）の両側面に接着剤を塗布した後、前記ガラス繊維（１０）の両側面にそれぞれ同じ面積を有する銅板（２０）を加圧方式によって一体的に貼り付けてなることを特徴とする屋上緑化用シート。
【請求項２】
屋上緑化に際して植物の根が活着することを防ぐために防水層の上部に設けられる屋上緑化用シートにおいて、
ガラス繊維（１０）の一方の面には同じ面積の銅板（２０）を貼り付け、他方の面には同じ面積のアルミニウム薄板（３０）を加圧方式によって一体的に貼り付けてなることを特徴とする屋上緑化用シート。
【請求項３】
屋上緑化に際して植物の根が活着することを防ぐために防水層の上部に設けられる屋上緑化用シートにおいて、
ガラス繊維（１０）の一方の面には同じ面積の銅板（２０）を貼り付け、他方の面には同じ面積の不織布（４０）を加圧方式によって一体的に貼り付けてなることを特徴とする屋上緑化用シート。
【請求項４】
屋上緑化に際して植物の根が活着することを防ぐために防水層の上部に設けられる屋上緑化用シートにおいて、
ガラス繊維（１０）の両側面にそれぞれ接着剤を塗布した後に、同じ面積を有するアルミニウム薄板（３０）を加圧方式によって前記ガラス繊維（１０）の両側面にそれぞれ強固に貼り付けてなることを特徴とする屋上緑化用シート。
【請求項５】
屋上緑化に際して植物の根が活着することを防ぐために防水層の上部に設けられる屋上緑化用シートにおいて、
銅板（２０）の両側面にそれぞれ接着剤を塗布した後に同じ面積を有する不織布（４０）とＰＶＣシート（５０）を加圧方式によって強固に貼り付けてなることを特徴とする屋上緑化用シート。
【請求項６】
屋上緑化に際して植物の根が活着することを防ぐために防水層の上部に設けられる屋上緑化用シートにおいて、
前記ＰＶＣシート（５０）の両側面にそれぞれ接着剤を塗布した後に同じ面積を有する銅板（２０）と不織布（４０）を加圧方式によって貼り付けてなることを特徴とする屋上緑化用シート。
【国際調査報告】
2013502921.tif 000010
2013502921.tif 000011
2013502921.tif 000012
2013502921.tif 000013